(57)【要約】    【課題】燃料の壁面付着によるエンジントルクのバラツキを抑制して、エンジンの制御安定性を向上させる。    【解決手段】エンジントルクに及ぼす燃料供給量の影響が吸入空気量の影響と比較して相対的に大きくなるエンジンの運転領域に関し、シリンダの壁面に付着した燃料の燃焼に寄与する度合いを、エンジントルクとの関係のもとで壁面付着燃料の燃焼寄与率として予め記憶する。実際の運転に際し、エンジントルクに基づいて燃焼寄与率を算出し（Ｓ２０８）、これを燃料噴射量の算出に反映させる（Ｓ２１０）。【選択図】  図３
2007239466.tif 000002
【特許請求の範囲】
【請求項１】
エンジンにおける燃料噴射量を制御する装置であって、
エンジンの運転条件に応じた前記燃料噴射量の基本値を算出する基本噴射量算出手段と、
エンジンが実際に発生させているエンジントルクを検出するエンジントルク検出手段と、
エンジントルクに及ぼす燃料供給量の影響が吸入空気量の影響と比較して相対的に大きくなるエンジンの運転領域に関し、噴射された燃料のうちシリンダの壁面に付着した燃料の燃焼に寄与する度合いが、エンジントルクとの関係のもとで壁面付着燃料の燃焼寄与率として予め記憶され、前記領域における実際の運転に際し、前記エンジントルク検出手段により検出されたエンジントルクに基づいて前記燃焼寄与率を算出する燃焼寄与率算出手段と、
前記基本噴射量算出手段により算出された基本噴射量、及び前記燃焼寄与率算出手段により算出された燃焼寄与率に基づいて、前記燃料噴射量の最終設定値を算出する燃料噴射量算出手段と、
を含んで構成されるエンジンの燃料噴射制御装置。
【請求項２】
前記燃焼寄与率算出手段は、燃料噴射量に対応させて各エンジントルク下での燃焼寄与率が記憶され、燃料噴射量、及び前記検出されたエンジントルクに基づいて前記燃焼寄与率を算出する請求項１に記載のエンジンの燃料噴射制御装置。
【請求項３】
エンジンの温度を検出する温度検出手段を更に含んで構成され、
前記燃料噴射量算出手段は、前記温度検出手段により所定の温度よりも低いエンジンの温度が検出されたことに対応して、前記算出された燃焼寄与率に基づいて前記燃料噴射量の最終設定値を算出する請求項１又は２に記載のエンジンの燃料噴射制御装置。
【請求項４】
前記燃料噴射量算出手段は、エンジンの始動時におけるクランキングの開始から所定の時間が経過するまでの間、前記算出された燃焼寄与率に基づいて前記燃料噴射量の最終設定値を算出する請求項１〜３のいずれかに記載のエンジンの燃料噴射制御装置。
【請求項５】
エンジンの温度を検出する温度検出手段を含んで構成されるものにおいて、
前記所定の時間が、クランキングの開始後、完爆を経て、エンジンの単位時間当たりの温度上昇率が増加から転じて所定の値に減少するまでの時間として定められる請求項４に記載のエンジンの燃料噴射制御装置。
【請求項６】
エンジンの温度を検出する温度検出手段と、
前記温度検出手段により検出されたエンジンの温度に基づいて、燃料の壁面付着に対する、エンジンの温度に応じた燃料噴射量の補正量を算出する補正量算出手段と、を更に含んで構成され、
前記燃料噴射量算出手段は、前記算出された基本噴射量、前記算出された燃焼寄与率、及び前記補正量算出手段により算出された補正量に基づいて、前記最終設定値としての燃料噴射量を算出する請求項１〜５のいずれかに記載のエンジンの燃料噴射制御装置。
【請求項７】
エンジンの回転速度を検出する回転速度検出手段と、
前記回転速度検出手段により検出された回転速度の単位時間当たりの変化率を算出する回転速度変化率算出手段と、を更に含んで構成され、
前記エンジントルク検出手段は、前記検出された回転速度、及び前記回転速度変化率算出手段により算出された回転速度の変化率に基づいて、前記エンジントルクを算出する請求項１〜６のいずれかに記載のエンジンの燃料噴射制御装置。
【請求項８】
エンジンの温度を検出する温度検出手段を含んで構成されるものにおいて、
前記温度検出手段は、エンジン冷却水の温度を検出する手段を含んで構成され、この手段により検出されたクランキングの開始前におけるエンジン冷却水の温度、及び燃料の噴射が開始されてからの燃料噴射量の積算値に基づいて、エンジンの温度を推定演算する請求項１〜７のいずれかに記載のエンジンの燃料噴射制御装置。
【請求項９】
ディーゼルエンジンにおける燃料噴射量を制御する請求項１〜８のいずれかに記載のエンジンの燃料噴射制御装置。
【発明の詳細な説明】
【技術分野】
【０００１】
本発明は、エンジンの燃料噴射制御装置に関し、詳細には、エンジントルクに及ぼす燃料供給量の影響が支配的となる運転領域において、エンジンの制御安定性を向上させ、エミッションを低減させるための技術に関する。
【背景技術】
【０００２】
低温状態下でのエンジンの始動に際し、インジェクタによる燃料噴射量を暖機後の通常時よりも増量させることは、一般的に知られた制御方法である。下記特許文献１には、エンジンの低温始動時において、噴射された燃料のうちシリンダの壁面に付着して、燃焼に対して遅れをもって寄与することとなる燃料を予め考慮し、実際の空燃比の目標値に対する偏差を抑制する制御方法が記載されている。
【特許文献１】特開２０００−１８６５９７号公報（段落番号０００６，０００７）
【発明の開示】
【発明が解決しようとする課題】
【０００３】
しかしながら、前掲特許文献１に記載された方法には、低温始動時における燃料噴射量の増量補正が空燃比における偏差抑制のためのものであることに起因して、次のような問題がある。すなわち、エンジントルクに及ぼす吸入空気量の影響が支配的となるエンジンの運転領域では、この方法による増量補正により、エンジントルクが安定した状態で所要の効果が得られるものと考えられる。これに対し、エンジントルクに及ぼす燃料供給量の影響が支配的となる運転領域（理論値よりも燃料が希薄な状態に設定する運転領域は、一般的にこれに含まれる。）では、燃料の壁面付着による燃料供給量の実質的な変動がエンジントルクに及ぼす影響を無視することができず、空燃比の制御精度向上のためだけに行う上記の補正では、エンジントルクのバラツキを抑制することができないことである。アイドル時にエンジントルクにバラツキが生じることで、回転数制御にハンチングを来し、これに伴いエミッションを増大させる。
【０００４】
本発明は、エンジントルクに及ぼす燃料供給量の影響が支配的となる運転領域において、燃料の壁面付着によるエンジントルクのバラツキを抑制して、エンジンの制御安定性を向上させ、エミッションの増大を防止することを目的とする。
【課題を解決するための手段】
【０００５】
本発明は、エンジンの燃料噴射制御装置を提供する。本発明に係る装置は、エンジンにおける燃料噴射量を制御するものであって、エンジンの運転条件に応じた燃料噴射量の基本値を算出するとともに、エンジンが実際に発生させているエンジントルクを検出する。エンジントルクに及ぼす燃料供給量の影響が吸入空気量の影響と比較して相対的に大きくなるエンジンの運転領域に関し、噴射された燃料のうちシリンダの壁面に付着した燃料の燃焼に寄与する度合いが、エンジントルクとの関係のもとで壁面付着燃料の燃焼寄与率として予め記憶されており、この領域における実際の運転に際し、検出したエンジントルクに基づいて燃焼寄与率を算出するとともに、算出した基本噴射量及び燃焼寄与率に基づいて、燃料噴射量の最終設定値を算出するものである。本発明に係る装置は、ディーゼルエンジンに好適に適用し得るものである。
【発明の効果】
【０００６】
本発明によれば、エンジントルクに及ぼす燃料供給量の影響が相対的に大きくなるエンジンの運転領域において、実際の運転に際してエンジントルクに基づいて壁面付着燃料の燃焼寄与率を算出し、これを燃料噴射量の最終設定値の算出に反映させることとした。このため、燃料の壁面付着に拘わらず、エンジンの運転条件に応じた必要量の燃料を燃焼させて、所定のエンジントルクを発生させることが可能となるので、エンジンの制御安定性を向上させ、エミッションの増大を防止することができる。
【発明を実施するための最良の形態】
【０００７】
以下に図面を参照して、本発明の実施の形態について説明する。
図１は、本発明の一実施形態に係るエンジン１の構成を示している。本実施形態では、エンジン１として直噴型のディーゼルエンジンを採用しており、エンジン１に対し、燃料タンクからコモンレール２２を介して燃料が供給される。
吸気通路１１の導入部には、図示しないエアクリーナが取り付けられており、このエアクリーナにより吸入空気中の粉塵が除去される。吸気通路１１には、ターボチャージャ１２のコンプレッサ１２ａが設置されており、コンプレッサ１２ａにより吸入空気が圧縮されて送り出される。圧縮された吸入空気は、サージタンク１３に流入し、マニホールド部で各気筒に分配される。
【０００８】
エンジン本体において、シリンダヘッドには、燃料噴射弁２１が気筒毎に設置されている。燃料噴射弁２１は、各気筒において、筒内に臨ませて設置されており、電子制御ユニットとして構成されるエンジンコントロールユニット（以下「ＥＣＵ」という。）４１からの駆動信号に応じて作動する。図示しない燃料ポンプにより送り出された燃料は、コモンレール２２を介して燃料噴射弁２１に供給され、燃料噴射弁２１により筒内に直接噴射される。
【０００９】
排気通路３１には、マニホールド部の下流にターボチャージャ１２のタービン１２ｂが設置されている。燃焼により生じた排気が排気通路３１に排出され、この排気によりタービン１２ｂが駆動されることで、コンプレッサ１２ａが回転する。タービン１２ｂの下流には、排気浄化触媒（ここでは、酸化触媒）３２が設置されており、エンジン１の排気は、この触媒３２を通過した後、大気中に放出される。
【００１０】
また、排気通路３１は、ＥＧＲ管３５により吸気通路１１（ここでは、サージタンク１３）と接続されており、ＥＧＲ管３５を介して排気が吸気通路１１に還流される。ＥＧＲ管３５には、ＥＧＲ弁３６が介装されており、ＥＧＲ弁３６により還流される排気の流量が制御される。ＥＧＲ弁３６は、アクチュエータ３７により開度が制御される。
ＥＣＵ４１には、クランク角センサ５１が発生させる単位クランク角又は基準クランク角毎の信号（ＥＣＵ４１は、これに基づいてエンジン回転数ＮＥを算出する。）、エンジン１に対する要求負荷の指標としてアクセルペダル（図示せず。）の踏込量を検出するアクセルセンサ５２からの信号、サージタンク１３内における吸入空気の温度を検出する吸気温度センサ５３からの信号、エンジン冷却水の温度を検出する冷却水温度センサ５４からの信号、及び吸入空気の流量を検出するエアフローメータ５５からの信号等が入力される。また、ＥＣＵ４１には、これらの信号に併せ、イグニッションキー（図示せず。）の位置を示す信号が入力される。ＥＣＵ４１は、入力した各種の信号に基づいて燃料噴射制御に関する所定の演算を実行して、燃料噴射量を算出するとともに、この燃料噴射量に応じた駆動信号を燃料噴射弁２１に出力する。
【００１１】
以下、ＥＣＵ４１が行う制御の内容について、フローチャートにより説明する。
図２〜４は、燃料噴射制御ルーチンのフローチャートであり、イグニッションキーの操作等による電源の投入後、ＥＣＵ４１により所定の時間毎に繰り返し実行される。
図２に示すフローチャートにおいて、Ｓ１０１では、イグニッションキーの位置等に基づいてエンジン１の電源がオンされたか否かを判定する。オンされたときは、Ｓ１０２へ進み、オンされていないときは、このルーチンを終了する。なお、電源がオンされていないエンジン１の停止状態下では、ＥＣＵ４１は、最小限の電力のみが供給された待機状態にある。
【００１２】
Ｓ１０２では、エンジン回転数ＮＥを読み込む。エンジン回転数ＮＥは、たとえば、クランク角センサ５１が基準クランク角毎に発生させる信号の周期を測定することにより算出する。
Ｓ１０３では、エンジン冷却水の温度ＴＷを読み込む。
Ｓ１０４では、読み込んだＴＷが所定の値ＴＷ１＃以下であるか否かを判定する。ＴＷ１＃以下であるときは、Ｓ１０５へ進み、それ以外のときは、Ｓ１０７へ進む。ＴＷ１＃は、エンジン１の暖機完了を判断し得る値に設定する。
【００１３】
Ｓ１０５では、エンジン回転数ＮＥが所定の値ＮＥ１＃以上であるか否かを判定する。ＮＥ１＃以上であるときは、Ｓ１０６へ進み、それ以外のときは、このルーチンを終了する。ＮＥ１＃は、スタータによるクランキングが行われていることを判断し得る値に設定する。
Ｓ１０６では、図３に示すフローチャートに従い、始動制御により燃料噴射制御を実施する。
【００１４】
Ｓ１０７では、通常制御により暖機後の燃料噴射制御を実施する。
図３に示すフローチャートにおいて、Ｓ２０１では、積算噴射量ＣＵＭＱＦを算出する。積算噴射量ＣＵＭＱＦは、クランキングが開始されてからのサイクル毎の燃料噴射量ＱＦの積算値であり、次式（１）により算出する。
ＣＵＭＱＦｎ＝ＱＦｎ＋ＣＵＭＱＦｎ−１  ・・・（１）
Ｓ２０２では、エンジン１の温度（以下「機関温度」という。）ＴＭＰＥを算出する。機関温度ＴＭＰＥの算出は、Ｓ１０３で読み込んだクランキングの開始前における冷却水温度ＴＷと、積算噴射量ＣＵＭＱＦとにより図５に示す傾向を持たせたマップデータを検索することにより行う。図５のマップデータにおいて、機関温度ＴＭＰＥは、冷却水温度ＴＷが高く、かつ積算噴射量ＣＵＭＱＦが多いときのものほど、大きな値に設定する。
【００１５】
Ｓ２０３では、算出したＴＭＰＥが所定の値ＴＭＰＥ１＃以下であるか否かを判定する。ＴＭＰＥ１＃以下であるときは、Ｓ２０４へ進み、それ以外のときは、Ｓ２１１へ進む。ＴＭＰＥ１＃は、エンジン１の暖機完了を判断し得る値に設定する。
Ｓ２０４では、機関温度変化率ＤＴＥを算出する。機関温度変化率ＤＴＥは、機関温度ＴＭＰＥの、このルーチンの演算周期毎の変化率であり、次式（２）により算出する。
【００１６】
ＤＴＥ＝ＴＭＰＥｎ−ＴＭＰＥｎ−１  ・・・（２）
Ｓ２０５では、算出したＤＴＥが所定の値ＤＴＥ１＃以上であるか否かを判定する。ＤＴＥ１＃以上であるときは、Ｓ２０６へ進み、それ以外のときは、Ｓ２１１へ進む。ＤＴＥ１＃は、エンジン１が低温状態にあることを判断し得る値に設定する。機関温度変化率ＤＴＥが小さいときは、エンジン１が暖機後の温度状態に向けて安定しつつあると判断するのである。
【００１７】
Ｓ２０６では、回転速度変化率ＤＮＥを算出する。回転速度変化率ＤＮＥは、エンジン回転数ＮＥの、このルーチンの演算周期毎の変化率であり、次式（３）により算出する。
ＤＮＥ＝ＮＥｎ−ＮＥｎ−１  ・・・（３）
Ｓ２０７では、エンジントルクＴＩＥＮＧを算出する。エンジントルクＴＩＥＮＧの算出は、エンジン回転数ＮＥと、先のＳ２０６で算出したＤＮＥとにより図６に示す傾向を持たせたマップデータを検索することにより行う。図６のマップデータにおいて、エンジントルクＴＩＥＮＧは、エンジン回転数ＮＥが高く、かつ回転速度変化率ＤＮＥが大きいときのものほど、大きな値に設定する。
【００１８】
Ｓ２０８では、壁面付着燃料の燃焼寄与率ＩＮＦＱＦを算出する。燃焼寄与率ＩＮＦＱＦは、燃料噴射弁２１により噴射された燃料のうち、シリンダの壁面に付着した燃料が燃焼、すなわち、エンジントルクの形成に寄与する度合いを示すものであり、その算出は、エンジントルクＴＩＥＮＧと、燃料噴射量ＱＦとにより図７に示す傾向を持たせたマップデータを検索することにより行う。図７のマップデータは、エンジントルクに関して低温始動時の温度条件下で実験を行い、データを収集して作成したものである。本実施形態において、燃焼寄与率ＩＮＦＱＦは、燃料噴射量に対して理論上発生されるべきエンジントルク（又は暖機後の通常運転で得られるべきエンジントルク）をＴＩＥＮＧｔｈとし、実験により取得された実際のエンジントルクをＴＩＥＮＧとして、次式（４）により算出する。このマップデータにおいて、燃焼寄与率ＩＮＦＱＦは、１以下の値として、エンジントルクＴＩＥＮＧが大きく、かつ燃料噴射量ＱＦが少ないときのものほど、大きな値に設定する。
【００１９】
ＩＮＦＱＦ＝ＴＩＥＮＧ／ＴＩＥＮＧｔｈ  ・・・（４）
Ｓ２０９では、燃料の壁面付着率ＲＱＦＷＬを算出する。壁面付着率ＲＱＦＷＬは、噴射された燃料のうち、燃焼に寄与せずにシリンダの壁面に付着する燃料の割合を示すものであり、その算出は、機関温度ＴＭＰＥと、燃料噴射量ＱＦとにより図８に示す傾向を持たせたマップデータを検索することにより行う。図８のマップデータにおいて、壁面付着率ＲＱＦＷＬは、機関温度ＴＭＰＥが低く、かつ燃料噴射量ＱＦが多いときのものほど、大きな値に設定する。
【００２０】
Ｓ２１０では、図４に示すフローチャートに従い燃料噴射量ＱＦを算出する。
Ｓ２１１では、暖機後の通常制御に移行する。
図４に示すフローチャートにおいて、Ｓ３０１では、冷却水温度ＴＷ、吸気温度ＴＡ、アクセル開度（アクセルセンサ５２により検出される。）ＡＰＯ、及びエンジン回転数ＮＥを読み込む。
【００２１】
Ｓ３０２では、読み込んだＡＰＯ及びＮＥに基づいて燃料噴射量ＱＦの基本値（すなわち、基本噴射量）ＱＦＢＡＳＥを算出する。基本噴射量ＱＦＢＡＳＥの算出は、エンジン回転数ＮＥと、アクセル開度ＡＰＯとにより図９に示す傾向を持たせたマップデータを検索することにより行う。図９のマップデータにおいて、基本噴射量ＱＦＢＡＳＥは、エンジン回転数ＮＥが低く、かつアクセル開度ＡＰＯが大きいときのものほど、大きな値に設定する。
【００２２】
Ｓ３０３では、水温補正量ＨＱＦＴＷを算出する。水温補正量ＨＱＦＴＷは、冷却水温度ＴＷによる図１０に示すテーブルデータの検索により、ＴＷが低いときほど、大きな値として算出される。
Ｓ３０４では、吸気温度補正量ＨＱＦＴＡを算出する。吸気温度補正量ＨＱＦＴＡは、吸気温度ＴＡによる図１１に示すテーブルデータの検索により、ＴＡが低いときほど、大きな値として算出される。
【００２３】
Ｓ３０５では、最終設定値としての燃料噴射量ＱＦを、次式（５）により算出する。なお、（５）式において、ＱＦｎ−１は、前回の演算により最終設定値として算出された燃料噴射量を示す。
ＱＦｎ＝ＱＦＢＡＳＥｎ×ＨＱＦＴＷ×ＨＱＦＴＡ×（１／（１−ＲＱＦＷＬ））
−ＱＦｎ−１×ＩＮＦＱＦ  ・・・（５）
ＥＣＵ４１は、算出したＱＦ（＝ＱＦｎ）に応じた駆動信号を出力し、燃料噴射弁２１を作動させる。
【００２４】
本実施形態に係るエンジンの燃料噴射制御装置の構成及び動作は、以上のようであり、ＥＣＵ４１にこの装置としての機能を持たせている。すなわち、図４に示すフローチャートのＳ３０２が「基本噴射量算出手段」としての機能を、図３に示すフローチャートのＳ２０７が「エンジントルク検出手段」としての機能を、同フローチャートのＳ２０８が「燃焼寄与率算出手段」としての機能を、図４に示すフローチャートのＳ３０５が「燃料噴射量算出手段」としての機能を実現する。また、図２に示すフローチャートのＳ１０３、及び図３に示すフローチャートのＳ２０２が「温度検出手段」としての機能を、同フローチャートのＳ２０９が「補正量算出手段」としての機能を、図２に示すフローチャートのＳ１０２が「回転速度検出手段」としての機能を実現する。
【００２５】
本実施形態によれば、次のような効果を得ることができる。
本実施形態では、ディーゼルエンジン１の低温始動時において、エンジントルクとの関係のもとに予め記憶された壁面付着燃料の燃焼寄与率ＩＮＦＱＦを、実際のエンジントルクＴＩＥＮＧにより読み出し（図３のＳ２０８）、これを燃料噴射量ＱＦの算出に反映させて、シリンダの壁面から蒸発する量に相当する分の燃料を減算したものとして、最終設定値としての燃料噴射量ＱＦを算出することとした（図４のＳ３０５）。このため、燃料の壁面付着に拘わらず、エンジン１の運転条件に応じた必要量の燃料を燃焼させて、要求負荷（ここでは、アクセル開度ＡＰＯ）に応じたエンジントルクを過不足なく発生させることが可能となるので、エンジン１の制御安定性を向上させ、エミッションの増大を防止することができる。本実施形態では、基本噴射量ＱＦＢＡＳＥの算出に際してエンジン１に対する要求負荷を考慮することとしており（同Ｓ３０１）、有負荷運転時における燃料噴射量ＱＦの設定に本発明を適用した場合について説明したが、本発明は、これに限らず、アイドル時における回転数制御に適用することもできる。この場合は、実際のエンジン回転数ＮＥの目標値に対する偏差を減少させるための燃料噴射量ＱＦの算出に燃焼寄与率ＩＮＦＱＦを反映させ、前記偏差に応じた基本噴射量ＱＦＢＡＳＥから、壁面からの蒸発燃料量を減算すればよい。なお、ディーゼルエンジン１は、運転領域全般に亘り空気が過剰な状態で運転させるものであるので、ディーゼルエンジン１の運転領域は、その全般に亘り「エンジントルクに及ぼす燃料供給量の影響が相対的に大きくなる運転領域」に相当する。
【００２６】
図１２，１３は、低温状態からディーゼルエンジン１を始動させた場合における燃料噴射量ＱＦとエンジントルクＴＯＲＱＵＥとの関係を示しており、図１２は、壁面付着燃料の燃焼に対する寄与を考慮しない場合のものを、図１３は、この影響を考慮した場合のものを示している。壁面付着燃料の寄与を考慮しない場合（図１２）は、燃料噴射量ＱＦに対して形成されるエンジントルクＴＯＲＱＵＥにバラツキが大きく、両者に相関は見受けられない。これに対し、壁面付着燃料の寄与を考慮した場合（図１３）は、エンジントルクＴＯＲＱＵＥのバラツキが抑制され、燃料噴射量ＱＦとエンジントルクＴＯＲＱＵＥとに相関が認められる。
【００２７】
また、本実施形態では、ディーゼルエンジン１の低温始動時に限り、壁面付着燃料の燃焼寄与率ＩＮＦＱＦを燃料噴射量ＱＦの算出に反映させることとした（図２のＳ１０４、及び図３のＳ２０３）。このため、壁面付着燃料の燃焼に対する寄与が特に大きくなる条件において、この寄与の度合いを燃焼寄与率ＩＮＦＱＦとして燃焼噴射制御に積極的に反映させる一方、それ以外の条件では、これを反映させる必要がなく、また、反映させることにより生じ得る制御系の誤作動を回避することができる。なお、燃焼寄与率ＩＮＦＱＦを反映させた燃料噴射量ＱＦの算出は、低温始動時に限らず、壁面付着燃料の燃焼に対する寄与が問題となるあらゆる運転領域に適用することができる。
【００２８】
更に、本実施形態では、機関温度ＴＭＰＥに基づいて燃料の壁面付着率ＲＱＦＷＬを算出し（図３のＳ２０９）、これに相当する量の燃料を増量させたものとして燃料噴射量ＱＦの最終設定値を算出することとした（図４のＳ３０５）。このため、燃料の壁面付着による実質的な燃料供給量の減少を解消し、燃焼を安定させることができる。
なお、以上では、軽油を燃料とするディーゼルエンジンに本発明を適用した場合について説明したが、本発明は、これに限らず、ガソリンエンジン、及び各種の燃料を採用した予混合圧縮着火型のエンジンに適用することができる。ガソリンエンジンでは、理論値よりも燃料が希薄な状態で運転させる希薄燃焼域（均質又は成層の燃焼形態の別を問わない。）に本発明を適用することが可能であり、たとえば、直噴型のガソリンエンジンにおいて、いわゆるスプレーガイド燃焼の形態によりエンジンを始動させる場合での適用が考えられる。スプレーガイド燃焼による始動では、成層燃焼時における通常の噴射時期よりも遅角させて燃料を噴射するとともに、ピストンの冠面に対する衝突前の噴霧に対して点火を行うことで、着火性を確保しつつ、燃料の後燃えにより排気温度を上昇させ、暖機を促進させることができる。
【００２９】
また、以上では、筒内に燃料が噴射される直噴型のエンジンに本発明を適用した場合について説明したが、本発明は、これに限らず、燃料噴射弁を吸気ポート内に臨ませて設置した、ポート噴射型のガソリンエンジンに適用することもできる。
【図面の簡単な説明】
【００３０】
【図１】本発明の一実施形態に係るディーゼルエンジンの構成
【図２】同上実施形態に係る燃料噴射制御ルーチンのフローチャート
【図３】同上燃料噴射制御ルーチンの始動制御に係るサブルーチン
【図４】同上燃料噴射制御ルーチンの燃料噴射量の最終設定に係るサブルーチン
【図５】機関温度ＴＭＰＥのマップデータ
【図６】エンジントルクＴＩＥＮＧのマップデータ
【図７】壁面付着燃料の燃焼寄与率ＩＮＦＱＦのマップデータ
【図８】燃料の壁面付着率ＲＱＦＷＬのマップデータ
【図９】基本噴射量ＱＦＢＡＳＥのマップデータ
【図１０】水温補正量ＨＱＦＴＷのテーブルデータ
【図１１】吸気温度補正量ＨＱＦＴＡのテーブルデータ
【図１２】壁面付着燃料の燃焼に対する寄与を考慮しない場合の燃料噴射量ＱＦとエンジントルクＴＯＲＱＵＥとの関係
【図１３】壁面付着燃料の寄与を考慮した場合の燃料噴射量ＱＦとエンジントルクＴＯＲＱＵＥとの関係
【符号の説明】
【００３１】
１…ディーゼルエンジン、１１…吸気通路、１２…ターボチャージャ、１３…サージタンク、２１…燃料噴射弁、２２…コモンレール、３１…排気通路、３２…排気浄化触媒、３５…ＥＧＲ管、３６…ＥＧＲ弁、４１…エンジンコントロールユニット、５１…クランク角センサ、５２…アクセルセンサ、５３…吸気温度センサ、５４…冷却水温度センサ、５５…エアフローメータ。
【図１】
2007239466.tif 000003
【図２】
2007239466.tif 000004
【図３】
2007239466.tif 000005
【図４】
2007239466.tif 000006
【図５】
2007239466.tif 000007
【図６】
2007239466.tif 000008
【図７】
2007239466.tif 000009
【図８】
2007239466.tif 000010
【図９】
2007239466.tif 000011
【図１０】
2007239466.tif 000012
【図１１】
2007239466.tif 000013
【図１２】
2007239466.tif 000014
【図１３】
2007239466.tif 000015